(57)【要約】【課題】差込孔から差込片が勝手に抜け出るのを確実に防止できるようにした段ボール製包装箱を提供する。【解決手段】平面形状が矩形の段ボール製包装箱であって、長辺側の対向側板２，２の下端に連設された第１の底板形成用フラップ４，４は短辺側の対向側板３，３の幅方向中央部において先端同士が互いに突き合わせ状態で閉じられ、続いて短辺側の対向側板３，３に連設された第２の底板形成用フラップ５，５の両端の差込片８，８を長辺側の対向側板２，２との連設線に近接するように前記第１の底板形成用フラップ４，４に形成された差込孔４ａ，４ａに差し込むように構成し、前記差込片８，８にはそれぞれ外側辺に係止爪部８ａ，８ａが形成され、前記差込孔４ａ，４ａに外向きに連続して形成された切り込み４ｂ，４ｂに係止爪部８ａ，８ａが係止するように構成した。【選択図】    図１
2006044757.tif 000002
【特許請求の範囲】
【請求項１】
２組の対向側板と、この対向側板の下端に連設された底板形成用フラップと、この対向側板の上端に連設された上蓋形成用フラップとを備えてなり、平面形状が矩形の段ボール製包装箱であって、底板側および上蓋側の少なくとも一方において１組の対向側板に連設された第１のフラップは他の組の対向側板の幅方向中央部において先端同士が互いに突き合わせ状態で閉じられ、続いて他の組の対向側板に連設された第２のフラップの両端の差込片を１組の対向側板との連設線に近接するように前記第１のフラップに形成された差込孔に差し込むように構成し、前記差込片にはそれぞれ外側辺に係止爪部が形成され、前記差込孔に外向きに連続して形成された切り込みに係止爪部が係止するように構成したことを特徴とする段ボール製包装箱。
【発明の詳細な説明】
【技術分野】
【０００１】
本発明は、例えばなすや胡瓜などの野菜類を包装するための段ボール製包装箱に関するものである。
【背景技術】
【０００２】
従来から段ボール製の包装箱において、底板や上蓋の閉塞保持のために１組の対向側板に連設されたフラップを先端同士が互いに突き合わせ状態となるように閉じ、続いて他の組の対向側板に連設されたフラップの両端の差込片を１組の対向側板との連設線に近接するように前記１組の対向側板に連設されたフラップに形成された差込孔に差し込むようにしたものが特許文献１にて知られている。この特許文献１に開示されている包装箱は差込孔に対する差込片の差し込みを容易に行なえるようにするために他の組の対向側板に連設されたフラップには他の組の対向側板との連設線と平行に折り曲げ線が形成されている。
【特許文献１】特開２００３−６３５２１号公報
【発明の開示】
【発明が解決しようとする課題】
【０００３】
上記特許文献１に開示されている包装箱は、差込片を差込孔に差し込むことにより他の組の対向側板に連設されたフラップとともに先に閉じられている１組の対向側板に連設されたフラップの閉塞保持が行なえるものであるが、搬送中において他の組の対向側板に連設されたフラップに外力が掛かることなどにより差込片が差込孔から勝手に抜け出るという問題があった。
【０００４】
本発明の目的は、このような課題を解決するものであり、差込孔から差込片が勝手に抜け出るのを確実に防止できるようにした段ボール製包装箱を提供することにある。
【課題を解決するための手段】
【０００５】
本発明の請求項１に記載の段ボール製包装箱は、２組の対向側板と、この対向側板の下端に連設された底板形成用フラップと、この対向側板の上端に連設された上蓋形成用フラップとを備えてなり、平面形状が矩形の段ボール製包装箱であって、底板側および上蓋側の少なくとも一方において１組の対向側板に連設された第１のフラップは他の組の対向側板の幅方向中央部において先端同士が互いに突き合わせ状態で閉じられ、続いて他の組の対向側板に連設された第２のフラップの両端の差込片を１組の対向側板との連設線に近接するように前記第１のフラップに形成された差込孔に差し込むように構成し、前記差込片にはそれぞれ外側辺に係止爪部が形成され、前記差込孔に外向きに連続して形成された切り込みに係止爪部が係止するように構成したことを特徴とする。
【発明の効果】
【０００６】
以上のように、本発明の段ボール製包装箱は、第２のフラップの差込片にはそれぞれ外側辺に係止爪部が形成され、第１のフラップの差込孔に外向きに連続して形成された切り込みに係止爪部が係止するように構成してあるので、第２のフラップの差込片が差込孔から勝手に抜け外れるのを確実に防止することができる。
【発明を実施するための最良の形態】
【０００７】
以下、本発明の一実施の形態を、図１〜図６に基づいて具体的に説明する。
図において、１は段ボール板を材料として作られ平面形状が長方形（もしくは正方形）などの矩形の高さの低い包装箱であって、２組の対向側板２，２、３，３と、この対向側板２，２、３，３の下端に連設された底板形成用フラップ４，４、５，５と、この対向側板２，２、３，３の上端に連設された上蓋形成用フラップ６，６、７，７とを備えている。具体的には、２組の対向側板２，２、３，３の内、一方の対向側板２，２の幅が他方の対向側板３，３の幅に比べて長い寸法に設定されて、その長辺側の対向側板２，２の下端に連設された第１の底板形成用フラップ４，４は短辺側の対向側板３，３の幅方向中央部において先端同士が互いに突き合わせ状態となり、続いて短辺側の対向側板３，３の下端に連設された第２の底板形成用フラップ５，５の両端の差込片８，８を長辺側の対向側板２，２の下端との連設線に近接するように前記第１の底板形成用フラップ４，４に形成された差込孔４ａ，４ａに差し込むことにより底板が形成されるようになっている。さらに詳しくは、第２の底板形成用フラップ５，５は第１の２枚の底板形成用フラップ４，４に跨るようにして第１の２枚の底板形成用フラップ４，４の各１つづつの差込孔４ａ，４ａに差込片８，８が差し込まれ、底板の閉塞状態が保持されるものである。さらに、前記差込片８，８にはそれぞれ外側辺に係止爪部８ａ，８ａが形成され、前記差込孔４ａ，４ａに外向きに連続して形成された切り込み４ｂ，４ｂに係止爪部８ａ，８ａが係止して差込片８，８が差込孔４ａ，４ａから勝手に抜け外れるのを防止するようにしている。なお、第２の底板形成用フラップ５，５には差込孔４ａ，４ａに対する差込片８，８の差し込みを容易に行なえるようにするために短辺側の対向側板３，３の下端との連設線と平行に折り曲げ線９，９が形成されている。つまり、差込孔４ａ，４ａに対する差込片８，８の差し込み時に第２の底板形成用フラップ５，５を折り曲げ線９，９で折り曲げることにより差込孔４ａ，４ａに対する差込片８，８の差し込みを容易に行なえる。ところで、図面に示す実施の形態では差込片８，８の内側辺は短く形成され、差込片８，８間は第２の底板形成用フラップ５，５の閉塞時に第１の底板形成用フラップ４，４を押さえる押さえ部１０となっている。この押さえ部１０の先端中央はＶ状にカットされている。
【０００８】
次に、上蓋形成用フラップ６，６、７，７について説明すると、長辺側の対向側板２，２の上端に連設された上蓋形成用フラップ６，６の内、一方の上蓋形成用フラップ６が先に折り曲げられ、続いて短辺側の対向側板３，３の上端に連設された上蓋形成用フラップ７，７の内、一方の上蓋形成用フラップ７が折り曲げられてこの一方の上蓋形成用フラップ７の一端が前記一方の上蓋形成用フラップ６の一端側に上から重なり、続いて長辺側の対向側板２，２の上端に連設された上蓋形成用フラップ６，６の内、他方の上蓋形成用フラップ６が折り曲げられてこの他方の上蓋形成用フラップ６の一端が前記一方の上蓋形成用フラップ７の他端側に上から重なり、最後に短辺側の対向側板３，３の上端に連設された上蓋形成用フラップ７，７の内、他方の上蓋形成用フラップ７が折り曲げられて他方の上蓋形成用フラップ７の一端が前記他方の上蓋形成用フラップ６の他端側に上から重なるとともに前記一方の上蓋形成用フラップ６の他端側に形成された切除部６ａと他方の上蓋形成用フラップ７の他端側に形成された切除部７ａとが互いに係合するように他方の上蓋形成用フラップ７の切除部７ａに隣接する先端部を一方の上蓋形成用フラップ６の他端側に形成された切除部６ａに差し込むことにより上蓋が形成されるようになっている。なお、図面に示す実施の形態では各上蓋形成用フラップ６，６、７，７の対向側板２，２、３，３との連設部からの寸法長さが短く形成されていて、包装箱１の上端に大きな開口が形成されるようになっている。
【０００９】
上記のように構成された包装箱１はなすや胡瓜などの野菜類を収納するのに適しているが、被収納物としては野菜類に限定されるものではない。
また、包装箱１の上端においては上蓋形成用フラップ６，６、７，７を隣接する端部同士で押さえ付けながら閉じるように構成されているが、底板形成用フラップ４，４、５，５の構成を上蓋側に採用することも可能である。つまり、底板形成用フラップ４，４、５，５の構成を底板側および上蓋側の少なくとも一方に採用することが可能であり、底板形成用フラップの構成を他の構成にして、上蓋側にのみ前記底板形成用フラップ４，４、５，５の構成を採用することも可能である。
【図面の簡単な説明】
【００１０】
【図１】本発明の一実施の形態の包装箱の展開図である。
【図２】同包装箱を上下逆にして底板を組み立てる途中の状態を示す斜視図である。
【図３】同包装箱を上下逆にして底板を組み立てた状態を示す斜視図である。
【図４】同底板の要部拡大図である。
【図５】同包装箱の上蓋を組み立てる途中の状態を示す斜視図である。
【図６】同包装箱の上蓋を組み立てた状態を示す斜視図である。
【符号の説明】
【００１１】
１                  包装箱
２，３              側板
４，５              底板形成用フラップ
４ａ                差込孔
４ｂ                切り込み
６，７              上蓋形成用フラップ
６ａ，７ａ          切除部
８                  差込片
８ａ                係止爪部
９                  折り曲げ線
１０                  押さえ片
【図１】
2006044757.tif 000003
【図２】
2006044757.tif 000004
【図３】
2006044757.tif 000005
【図４】
2006044757.tif 000006
【図５】
2006044757.tif 000007
【図６】
2006044757.tif 000008